(57)【要約】【課題】  本発明は貯蔵タンクに流体を補給する際の補給作業を効率行えることを課題とする。【解決手段】  流体供給装置１０は、筐体１２の下部に流体を貯蔵する貯蔵タンク１４と、貯蔵タンク１４の上方に設けられた計装部１６とを有する。計装部１６の流体供給経路２０には、上流から三方弁２６、ポンプ２８、流量計３０、補給用管路２２、第１電磁弁３２、ホース継ぎ手３４、ホース３６、ノズル３８が設けられている。補給用管路２２は、ポンプ２８及び流量計３０の下流の流体供給経路２０から分岐されており、補給用管路２２には、流体供給時に閉弁され補給時に開弁される第２電磁弁４０が設けられている。制御装置４８は、貯蔵タンク１４から流体をノズル３８に供給する場合には、ポンプ２８により吸い上げ管路２１から貯蔵タンク１４の流体を吸い上げてノズル３８に供給する。【選択図】  図１
2006123926.tif 000002
【特許請求の範囲】
【請求項１】
流体を貯蔵する貯蔵タンクと、
一端が前記貯蔵タンクに連通され、他端が被流体供給体に流体を供給するためのノズルに連通された流体供給経路と、
前記流体供給経路に設けられたポンプと、
前記流体供給経路に設けられ、前記ポンプにより圧送された流体の供給量を計測する供給量計測手段と、
を有する流体供給装置において、
外部から前記貯蔵タンクに流体を供給すべく、前記流体供給経路の前記ポンプより上流側に設けられた補給部と、
前記流体供給経路の前記ポンプより上流に設けられ、前記補給部と前記ポンプの吸い込み口との連通状態、または前記流体供給経路の一端と前記ポンプの吸い込み口との連通状態の何れかの状態に切替える第１切替手段と、
前記ポンプの下流の流体供給経路から分岐して前記貯蔵タンクに連通される補給用経路と、
前記流体供給経路の前記ポンプより下流に設けられ、前記補給用経路と前記ポンプの吐出口との連通状態、または前記流体供給経路の他端と前記ポンプの吐出口との連通状態の何れかの状態に切替える第２切替手段と、
を備えたことを特徴とする流体供給装置。
【請求項２】
前記貯蔵タンクから流体を前記ノズルに供給する場合には、前記流体供給経路の一端と前記ポンプの吸い込み口との連通状態、及び前記流体供給経路の他端と前記ポンプの吐出口との連通状態を保持するように前記第１、第２切替手段を切り替え、前記貯蔵タンクに流体を補給する場合には、前記補給部と前記ポンプの吸い込み口との連通状態、及び前記補給用経路と前記ポンプの吐出口との連通状態を保持するように前記第１、第２切替手段を切り替える制御手段を備えたことを特徴とする請求項１に記載の流体供給装置。
【請求項３】
前記補給用経路は、前記ポンプ及び前記供給量計測手段の下流の流体供給経路から分岐することを特徴とする請求項１に記載の流体供給装置。
【請求項４】
前記貯蔵タンクに貯留された流体の貯蔵量を記憶する貯蔵量記憶手段と、
前記貯蔵タンクに流体を補給する場合に前記貯蔵量記憶手段に記憶された貯蔵量の値に前記供給量計測手段により計測された補給量の値を加算して前記貯蔵量の値を更新する第１貯蔵量演算手段と、
前記貯蔵タンクに前記ノズルに供給する場合に前記貯蔵量記憶手段に記憶された貯蔵量の値に前記供給量計測手段により計測された供給量の値を減算して前記貯蔵量の値を更新する第２貯蔵量演算手段と、
を備えたことを特徴とする請求項３に記載の流体供給装置。
【請求項５】
前記貯蔵量記憶手段に記憶された貯蔵量が予め設定された下限値以下になったか否かを検出する下限値検出手段と、
該下限値検出手段により前記貯蔵量が下限値以下になったことが検出された場合には、そのことを報知する報知手段と、
を備えたことを特徴とする請求項４に記載の流体供給装置。
【請求項６】
前記貯蔵量記憶手段に記憶された貯蔵量が予め設定された上限値以上になったか否かを検出する上限値検出手段と、
該上限値検出手段により前記貯蔵量が上限値以上になったことが検出された場合には、そのことを報知する報知手段と、
を備えたことを特徴とする請求項４に記載の流体供給装置。
【請求項７】
前記上限値検出手段により前記貯蔵量が上限値以上になったことが検出された場合には、前記ポンプの運転を停止させる補給停止手段を備えたことを特徴とする請求項６に記載の流体供給装置。
【発明の詳細な説明】
【技術分野】
【０００１】
本発明は流体供給装置に係り、特に流体を貯蔵する貯蔵タンクの貯蔵量が減少した場合に流体を補給するよう構成された流体供給装置に関する。
【背景技術】
【０００２】
流体供給装置としては、例えば、油液を配送する車両の荷台に搭載された貯蔵タンクと、貯蔵タンクの油液を送液するポンプと、ポンプからノズルへ供給された供給量を計測する流量計（供給量計測手段）と、流量計の下流に連通された給油ホースと、給油ホースの先端に連通された給油ノズルとを有する装置がある（例えば、特許文献１参照）。
【０００３】
この種の流体供給装置では、貯蔵タンクに貯蔵されている油液が減少すると、別のタンクから油液を補給する補給作業を行っている。この補給作業は、例えば、外部タンクとしてのドラム缶に移動可能な可搬式ポンプの吸い上げパイプを挿入し、ポンプの吐出口に連通されたホースの先端を貯蔵タンクの上部に設けられた注油口に挿入する。そして、可搬式ポンプの運転によりドラム缶の油液を車両の荷台に搭載された貯蔵タンクに汲み上げて油液を補給するようにしている。
【特許文献１】特開平６−１３９９号公報
【発明の開示】
【発明が解決しようとする課題】
【０００４】
しかしながら、従来は、車両に搭載されたポンプとは別に可搬式ポンプを用意することになるため、可搬式ポンプの設置作業に手間がかかり、貯蔵タンクへの補給作業の作業効率が悪く、しかも可搬式ポンプが他の場所で使用している場合には、他の場所での使用が終わるまで補給作業が遅れるという問題があった。
【０００５】
そこで、本発明は上記課題を解決した流体供給装置を提供することを目的とする。
【課題を解決するための手段】
【０００６】
上記課題を解決するため、本発明は以下のような手段を有する。
【０００７】
請求項１記載の発明は、流体を貯蔵する貯蔵タンクと、一端が前記貯蔵タンクに連通され、他端が被流体供給体に流体を供給するためのノズルに連通された流体供給経路と、前記流体供給経路に設けられたポンプと、前記流体供給経路に設けられ、前記ポンプにより圧送された流体の供給量を計測する供給量計測手段と、を有する流体供給装置において、外部から前記貯蔵タンクに流体を供給すべく、前記流体供給経路の前記ポンプより上流側に設けられた補給部と、前記流体供給経路の前記ポンプより上流に設けられ、前記補給部と前記ポンプの吸い込み口との連通状態、または前記流体供給経路の一端と前記ポンプの吸い込み口との連通状態の何れかの状態に切替える第１切替手段と、前記ポンプの下流の流体供給経路から分岐して前記貯蔵タンクに連通される補給用経路と、前記流体供給経路の前記ポンプより下流に設けられ、前記補給用経路と前記ポンプの吐出口との連通状態、または前記流体供給経路の他端と前記ポンプの吐出口との連通状態の何れかの状態に切替える第２切替手段と、を備えたことを特徴とするものである。
【０００８】
請求項２記載の発明は、前記貯蔵タンクから流体を前記ノズルに供給する場合には、前記流体供給経路の一端と前記ポンプの吸い込み口との連通状態、及び前記流体供給経路の他端と前記ポンプの吐出口との連通状態を保持するように前記第１、第２切替手段を切り替え、前記貯蔵タンクに流体を補給する場合には、前記補給部と前記ポンプの吸い込み口との連通状態、及び前記補給用経路と前記ポンプの吐出口との連通状態を保持するように前記第１、第２切替手段を切り替える制御手段を備えたことを特徴とするものである。
【０００９】
請求項３記載の発明は、前記補給用経路が、前記ポンプ及び前記供給量計測手段の下流の流体供給経路から分岐することを特徴とするものである。
【００１０】
請求項４記載の発明は、前記貯蔵タンクに貯留された流体の貯蔵量を記憶する貯蔵量記憶手段と、前記貯蔵タンクに流体を補給する場合に前記貯蔵量記憶手段に記憶された貯蔵量の値に前記供給量計測手段により計測された補給量の値を加算して前記貯蔵量の値を更新する第１貯蔵量演算手段と、前記貯蔵タンクに前記ノズルに供給する場合に前記貯蔵量記憶手段に記憶された貯蔵量の値に前記供給量計測手段により計測された供給量の値を減算して前記貯蔵量の値を更新する第２貯蔵量演算手段と、を備えたことを特徴とするものである。
【００１１】
請求項５記載の発明は、前記貯蔵量記憶手段に記憶された貯蔵量が予め設定された下限値以下になったか否かを検出する下限値検出手段と、該下限値検出手段により前記貯蔵量が下限値以下になったことが検出された場合には、そのことを報知する報知手段と、を備えたことを特徴とするものである。
【００１２】
請求項６記載の発明は、前記貯蔵量記憶手段に記憶された貯蔵量が予め設定された上限値以上になったか否かを検出する上限値検出手段と、該上限値検出手段により前記貯蔵量が上限値以上になったことが検出された場合には、そのことを報知する報知手段と、を備えたことを特徴とするものである。
【００１３】
請求項７記載の発明は、前記上限値検出手段により前記貯蔵量が上限値以上になったことが検出された場合には、前記ポンプの運転を停止させる補給停止手段を備えたことを特徴とするものである。
【発明の効果】
【００１４】
本発明によれば、外部から貯蔵タンクに流体を供給すべく、流体供給経路のポンプより上流側に設けられた補給部とポンプの吸い込み口との連通状態、または流体供給経路の一端とポンプの吸い込み口との連通状態の何れかの状態に切替える第１切替手段と、流体供給経路のポンプより下流に設けられ、補給用経路とポンプの吐出口との連通状態、または流体供給経路の他端とポンプの吐出口との連通状態の何れかの状態に切替える第２切替手段とを有するため、１台のポンプで流体の供給と流体の補給を行うことが可能になり、補給用のポンプを用意する必要がないので、その分補給作業の手間が省けると共に、補給作業効率を高めることが可能になる。
【００１５】
また、本発明によれば、貯蔵タンクに流体を補給する場合には、補給部とポンプの吸い込み口との連通状態、及び補給用経路とポンプの吐出口との連通状態を保持し、貯蔵タンクから流体をノズルに供給する場合には、流体供給経路の一端とポンプの吸い込み口との連通状態、及び流体供給経路の他端とポンプの吐出口との連通状態を保持する制御手段を有するため、流体供給状態から流体補給状態へ自動的に切り替えることができ、補給作業効率を高めることが可能になる。
【００１６】
また、本発明によれば、補給用経路がポンプ及び供給量計測手段の下流の流体供給経路から分岐するため、貯蔵タンクへ補給される流体の補給量を正確に計測することが可能になる。
【００１７】
また、本発明によれば、貯蔵タンクに流体を補給する場合に貯蔵量記憶手段に記憶された貯蔵量の値に供給量計測手段により計測された補給量の値を加算して貯蔵量の値を更新し、貯蔵タンクにノズルに供給する場合に貯蔵量記憶手段に記憶された貯蔵量の値に供給量計測手段により計測された供給量の値を減算して貯蔵量の値を更新するため、貯蔵タンクに液面計を設けなくても貯蔵量を正確に検出することが可能になる。
【００１８】
また、本発明によれば、下限値検出手段により貯蔵量が下限値以下になったことが検出された場合には、そのことを報知するため、貯蔵タンクに液面計を設けなくても貯蔵タンクへの流体供給が必要であることを認識でき、貯蔵タンクが空になる前に流体を補給することができる。
【００１９】
また、本発明によれば、上限値検出手段により貯蔵量が上限値以上になったことが検出された場合には、そのことを報知するため、貯蔵タンクに液面計を設けなくても貯蔵タンクへの流体補給が十分であることを確認でき、オ−バフローを防止することが可能になる。
【００２０】
また、本発明によれば、上限値検出手段により貯蔵量が上限値以上になったことが検出された場合には、ポンプの運転を停止させるため、貯蔵タンクに液面計を設けなくてもオ−バフローを防止することが可能になる。
【発明を実施するための最良の形態】
【００２１】
以下、図面を参照して本発明を実施するための最良の形態について説明する。
【実施例１】
【００２２】
図１は本発明になる流体供給装置の一実施例を示す構成図である。図１に示されるように、流体供給装置１０は、筐体１２の下部に流体を貯蔵する貯蔵タンク１４と、貯蔵タンク１４の上方に設けられた計装部１６とを有する。貯蔵タンク１４に貯蔵される流体としては、例えば、自動車等の車両の燃料として用いられる油液、あるいは燃料以外の化学薬品（例えば、自動車の排気ガスを浄化する浄化装置で消費される尿素など）がある。
【００２３】
貯蔵タンク１４と計装部１６との間には、隔壁１８が設けられており、この隔壁１８には流体供給経路２０の一端を構成する吸い上げ管路２１と、流体供給経路２０から分岐された補給用管路（補給用経路）２２とが貫通している。
【００２４】
吸い上げ管路２１及び補給用管路２２は、夫々貯蔵タンク１４の左右側壁近傍に挿入されており、吸い上げ管路２１及び補給用管路２２の下端は、貯蔵タンク１４の底部近傍まで延在している。また、貯蔵タンク１４の底部には、気泡の移動を遮断するバッフルプレート２４が起立している。
【００２５】
計装部１６の流体供給経路２０には、上流から三方弁（第１切替手段）２６、ポンプ２８、流量計３０、補給用管路２２、第１電磁弁（第２切替手段）３２、ホース継ぎ手３４、ホース３６、ノズル３８が設けられている。ノズル３８は、吐出口に流体供給により発生する負圧により空気を吸引するための空気導入口を有しており、この空気導入口が液面によって閉塞されると、ノズル３８に内蔵された弁機構が自動的に閉弁動作して流体の供給を停止するように構成されている。このような液面検知による自動閉弁機構は、周知のものであるので、ここではその詳細な説明を省略する。
【００２６】
また、補給用管路２２は、ポンプ２８及び流量計３０の下流の流体供給経路２０から分岐されており、補給用管路２２には、流体供給時に閉弁され補給時に開弁される第２電磁弁（第２切替手段）４０が設けられている。三方弁２６は、吸い上げ管路２１が連通されたａポートと、流体供給経路２０に連通された吐出側のｂポートと、補給ホース４２が連通されるｃポートとを有する。補給ホース４２は、外部の補給タンク（図示せず）から流体を補給するための補給ホースなどからなり、ホース端部が筐体１２の左側面に設けられた接続口（補給部）４４に連結されるように形成されている。尚、補給ホース４２には、ポンプが設けられていない。
【００２７】
また、三方弁２６は、制御信号の入来により切り替わる電磁式の切替弁であり、供給モード時には、ａ−ｂポートを連通させ、補給モード時にはｃ−ｂポートを連通させるように切り替わる。第１電磁弁３２は、制御信号の入来により供給モード時に開弁し、補給モード時に閉弁する。第２電磁弁４０は、第１電磁弁３２と逆の開閉動作を行うように制御されており、供給モード時に閉弁し、補給モード時に開弁する。
【００２８】
このような各弁の切替動作により流量計３０は、ポンプ２８からノズル３８へ供給された供給量、または補給用管路２２を介して貯蔵タンク１４に補給された流体の補給量を計測する。
【００２９】
計装部１６には、上記三方弁２６、ポンプ２８、流量計３０、第１電磁弁３２、第２電磁弁４０の他に、流量計３０により計測された流体の供給量、または流体の補給量を表示する流量表示部４６と、各弁やポンプなどを制御するCPU（Central processing unit）を有する制御装置４８と、貯蔵タンク１４に貯蔵されている流体の貯蔵量が予め設定された下限値または上限値になったことを報知する表示灯（報知手段）５０とが設けられている。
【００３０】
また、筐体１２の右側面には、使用しないときのノズル３８を掛止するノズル掛け５２が設けられている。そして、ノズル掛け５２には、ノズル３８を検出するノズルスイッチ５４が設けられている。このノズルスイッチ５４は、ポンプ起動スイッチとして機能するスイッチであり、ノズル３８がノズル掛け５２に掛止されているときにオンになり、ノズル３８がノズル掛け５２から外れるとオフになる。そして、ノズル３８がオフになると、ポンプ２８に駆動電圧が印加されてポンプ制御が行われる。
【００３１】
また、筐体１２には、貯蔵タンク１４への補給作業を行う前に操作される補給開始スイッチ５６と、補給停止を行うための補給停止スイッチ５７とが設けられている。さらに、計装部１６には、制御装置４８の制御プログラムや演算処理を行うデータなどを記憶するメモリ（記憶手段）５８が設けられている。
【００３２】
メモリ５８には、貯蔵タンク１４から流体をノズル３８に供給する場合には、吸い上げ管路２１とポンプ２８の吸い込み口との連通状態、及びノズル３８とポンプ２８の吐出口との連通状態を保持するように三方弁２６、電磁弁３２，４０を切り替え、貯蔵タンク１４に流体を補給する場合には、接続口４４とポンプ２８の吸い込み口との連通状態、及び補給ホース４２とポンプ２８の吐出口との連通状態を保持するように三方弁２６、電磁弁３２，４０を切り替える制御プログラム（制御手段）が格納されている。
【００３３】
ここで、上記構成とされた流体供給装置１０の制御装置４８が実行する制御処理について図２に示すフローチャートを参照して説明する。尚、図２に示す制御処理としては、貯蔵タンク１４からノズル３８に流体を供給する供給モード処理（Ｓ１３〜Ｓ２４）と、補給ホース４２から貯蔵タンク１４に流体を補給する補給モード処理（Ｓ２５〜Ｓ４１）とがある。
【００３４】
図２に示されるように、制御装置４８は、Ｓ１１でノズルスイッチ５４がオフになったかどうかをチェックする。Ｓ１１において、ノズル３８がノズル掛け５２に掛止されたままでノズルスイッチ５４がオンであるときは、Ｓ１２に進み、補給開始スイッチ５６からの補給信号が入力されたかどうかをチェックする。Ｓ１２において、補給開始スイッチ５６からの補給信号が入力されないときは、Ｓ１１に戻る。従って、流体の供給及び補給も行わない状態では、Ｓ１１，Ｓ１２の処理を繰り返す。
【００３５】
作業員はノズル３８をノズル掛け５２から外し、ノズル３８の吐出口を被流体供給体として容器（図示せず）の供給口に挿入してノズル３８のノズルレバーを開弁位置に操作する。従って、作業員が流体供給操作を行うと、Ｓ１１でノズルスイッチ５４がオフになるため、供給モード処理に移行する。
【００３６】
すなわち、Ｓ１１において、ノズルスイッチ５４がオフになると、Ｓ１３に進み、流量表示部４６に表示されている供給量をゼロリセットする。次のＳ１４では、ポンプ駆動信号を出力してポンプ２８を駆動する。続いて、Ｓ１５に進み、第１電磁弁３２を開弁すると共に、三方電磁弁２６のａ−ｂポートを連通した流体供給状態に保持する。これにより、ポンプ２８の運転により貯蔵タンク１４からくみ上げた流体が流体供給経路２０を介してノズル３８が挿入された容器への供給が開始される。
【００３７】
Ｓ１６では、流量計３０により検出された流量パルスを積算して流体の瞬時流量を計測する。続いて、Ｓ１７に進み、瞬時流量を積算して流体の供給量を演算して流量表示部４６に表示する。次のＳ１８では、Ｓ１１でノズルスイッチ５４がオフかどうかをチェックする。Ｓ１８において、ノズルスイッチ５４がオフであるときは、流体供給が継続しているものと判断して上記Ｓ１６〜Ｓ１８の処理を繰り返す。
【００３８】
作業員は、ノズル３８が液面検知による自動閉弁機構が動作して流体供給が停止した場合には、ノズル３８をノズル掛け５２に戻して供給作業を終了する。そして、Ｓ１８において、ノズルスイッチ５４がオンであるときは、ノズル３８がノズル掛け５２に戻されたため、Ｓ１９に進み、第１電磁弁３２を閉弁させた後、Ｓ２０でポンプ駆動信号の出力を停止する。
【００３９】
次のＳ２１では、上記流体供給により貯蔵タンク１４の貯蔵量が減少しているので、貯蔵タンク１４の貯蔵量を演算する（第２貯蔵量演算手段）。すなわち、メモリ５８の貯蔵量記憶領域から供給前に記憶した貯蔵量データ（貯蔵量の数値）を読み出し、この供給前貯蔵量から今回の供給量を減算し、現在の貯蔵量を算出する。
【００４０】
次のＳ２２では、Ｓ２１で演算された現在の貯蔵量の数値データをメモリ４８に記憶されている貯蔵量記憶領域に格納して貯蔵量データ（貯蔵量の数値データ）を更新する（貯蔵量記憶手段）。続いて、Ｓ２３では、現在の貯蔵量が貯蔵タンク１４の下限値（予め設定された数値）以下かどうかをチェックする（下限値検出手段）。このＳ２３において、現在の貯蔵量が貯蔵タンク１４の下限値以下である場合には、Ｓ２４に進み、表示灯５０を点滅（アラーム音を発しても良い）して流体を貯蔵タンク１４に補給する必要があることを報知する（報知手段）。
【００４１】
これにより、貯蔵タンク１４に液面計を設けなくても貯蔵タンク１４の貯蔵量が十分にあるのかどうかを判定することが可能になり、作業員は、表示灯５０の点滅により貯蔵タンク１４に貯蔵されている流体が残り少ない状態であることを認識することができる。そのため、作業員は、表示灯５０が点滅した場合には、補給ホース４２を接続口４４に結合させた後、補給開始スイッチ５６をオンに操作する。
【００４２】
上記Ｓ１２において、補給開始スイッチ５６からの補給信号が入力された場合には、Ｓ２５に進み、補給モード処理に移行する。すなわち、Ｓ２５では、三方弁２６のｂ−ｃポートを連通するように切り替えることにより、流体供給経路が流体補給経路に切り替わる。
【００４３】
次のＳ２６では、流量表示部４６に表示されている供給量をゼロリセットする。続いて、Ｓ２７に進み、ポンプ駆動信号を出力してポンプ２８を駆動する。そして、Ｓ２８では、第１電磁弁３２を閉弁すると共に、第２電磁弁４０を開弁する。これにより、ポンプ２８の運転により外部のタンク（例えば、ドラム缶など）の流体がくみ上げられ、流体供給経路２０及び補給用管路２２を介して貯蔵タンク１４に供給される。貯蔵タンク１４に供給された流体には、気泡が混入されているが、バッフルプレート２４によって気泡が吸い上げ管路２１側へ移動しないようになっている。
【００４４】
次のＳ２９では、流量計３０により検出された流量パルスを積算して流体の瞬時流量を計測する。続いて、Ｓ３０に進み、瞬時流量を積算して流体の補給量を演算して流量表示部４６に表示する。次のＳ３１では、上記流体補給により貯蔵タンク１４の貯蔵量が増加しているので、貯蔵タンク１４の貯蔵量を演算する（第１貯蔵量演算手段）。すなわち、メモリ５８の貯蔵量記憶領域から補給前に記憶した貯蔵量データ（貯蔵量の数値）を読み出し、この補給前貯蔵量から今回の補給量を減算し、現在の貯蔵量を算出する。
【００４５】
続いて、Ｓ３２では、現在の貯蔵量が貯蔵タンク１４の上限値（予め設定された数値）以上かどうかをチェックする（上限値検出手段）。このＳ３２において、現在の貯蔵量が貯蔵タンク１４の上限値以上でない場合には、Ｓ３３に進み、補給停止スイッチ５７からの補給停止信号が入力されたかどうかをチェックする。
【００４６】
Ｓ３３において、補給停止スイッチ５７からの補給停止信号が入力されていない場合は、上記Ｓ２９に戻り、Ｓ２９以降の処理を実行する。尚、２回目以降のＳ３０の処理では、補給量の積算を行っており、今回の補給作業で補給される総補給量を演算して表示する。
【００４７】
また、上記Ｓ３２において、現在の貯蔵量が貯蔵タンク１４の上限値以上である場合には、Ｓ３４に進み、第２電磁弁４０を閉弁して貯蔵タンク１４への補給を停止する（補給停止手段）。そして、Ｓ３５では、ポンプ駆動信号の出力を停止し、Ｓ３６で表示灯５０を消灯（アラーム音を発しても良い）して貯蔵タンク１４が満タンであることを報知する（報知手段）。
【００４８】
上記Ｓ３３で、補給停止スイッチ５７からの補給停止信号が入力された場合には、Ｓ３７に進み、第２電磁弁４０を閉弁して貯蔵タンク１４への補給を停止する。そして、Ｓ３５では、ポンプ駆動信号の出力を停止し、Ｓ３６で表示灯５０を消灯（アラーム音を発しても良い）して貯蔵タンク１４への補給が停止されたことを報知する（報知手段）。
【００４９】
上記Ｓ３６で貯蔵タンク１４が満タンであることを報知した場合、あるいはＳ３８で貯蔵タンク１４への補給が停止されたことを報知した場合には、Ｓ３９に進み、演算された現在の貯蔵量を流量表示部４６に表示する。そして、Ｓ４０に進み、三方電磁弁２６のａ−ｂポートを連通した流体供給状態に切り替える。次のＳ４１では、Ｓ３１で演算された現在の貯蔵量の数値データをメモリ４８に記憶されている貯蔵量記憶領域に格納して貯蔵量データ（貯蔵量の数値データ）を更新する。これで、貯蔵タンク１４への補給処理が終了する。
【００５０】
このように、流体供給装置１０では、筐体１２に設けられたポンプ２８を用いてノズル３８への流体供給と貯蔵タンク１４への流体補給とを行えるので、外部の補給用タンクあるいは補給用経路にポンプを設ける必要がないので、例えば、可搬式ポンプを用意する作業が不要になり、補給作業の効率を高めることが可能になる。
【産業上の利用可能性】
【００５１】
上記実施例では、筐体１２の下部に貯蔵タンク１４が設けられた構成を一例として挙げたが、これに限らず、貯蔵タンク１４が筐体１２の外部に設置される構成のものにも本発明が適用できるのは勿論である。
【００５２】
また、貯蔵タンク１４に流体を補給する補給用タンクとしては、ドラム缶やトラックの荷台に搭載されたタンク、あるいは地下タンクなどが考えられる。
【００５３】
また、貯蔵タンク１４に貯蔵される流体としては、ポンプにより圧送することができる液体であれば供給及び補給が可能であるので、ガソリン等の燃料や化学薬品や冷却用液や洗浄液など様々な種類の流体が考えられる。
【００５４】
また、上記実施例において、三方弁２６の代わりに吸い上げ管路２１と補給ホース４２が接続される接続口４４の夫々に電磁弁を設けても良い。
【００５５】
また、上記実施例において、電磁弁３２，４０の代わりに三方弁を設ける構成としても良い。
【図面の簡単な説明】
【００５６】
【図１】本発明になる流体供給装置の一実施例を示す構成図である。
【図２】制御装置４８が実行する制御処理を説明するためのフローチャートである。
【符号の説明】
【００５７】
１０  流体供給装置
１２  筐体
１４  貯蔵タンク
１６  計装部
２０  流体供給経路
２１  吸い上げ管路
２２  補給用管路
２６  三方弁
２８  ポンプ
３０  流量計
３２  第１電磁弁
３８  ノズル
４０  第２電磁弁
４２  補給ホース
４６  流量表示部
４８  制御装置
５０  表示灯
５４  ノズルスイッチ
５６  補給開始スイッチ
５７  補給停止スイッチ
５８  メモリ
【図１】
2006123926.tif 000003
【図２】
2006123926.tif 000004